(57)【要約】 【課題】様々な種類の枠に対応した画像を表示して多彩な鑑賞の仕方を実現することが可能な表示装置、表示装置枠、表示制御方法及び表示プログラムを提供する。【解決手段】表示装置に対する枠の取り付けを認識して当該枠を識別するための枠識別情報を取得し、取得された前記枠識別情報に関連付けられて記憶されている前記表示条件情報を特定し、特定された前記表示条件情報に基づいて前記画像の表示制御を行う。【選択図】図２
2010243654.tif 000002
【特許請求の範囲】
【請求項１】
画像を表示画面上に表示する表示装置において、
前記表示装置に対する枠を識別するための枠識別情報と、前記画像の表示条件を規定する表示条件情報とを関連付けて記憶する表示条件情報記憶手段と、  
前記表示装置に対する枠の取り付けを認識して当該枠を識別するための枠識別情報を取得する枠識別情報取得手段と、
前記枠識別情報取得手段により取得された前記枠識別情報に関連付けられて記憶されている前記表示条件情報を特定する表示条件特定手段と、
前記表示条件特定手段により特定された前記表示条件情報に基づいて前記画像の表示制御を行う表示制御手段と、
を備えることを特徴とする表示装置。
【請求項２】
請求項１に記載の表示装置において、
前記表示条件情報は、前記表示画面上における前記枠の表示領域を特定する表示領域情報を含み、
前記表示制御手段は、前記表示領域情報により特定される前記表示領域に前記画像が対応するように当該画像の表示位置、表示サイズ及び表示角度の少なくとも何れか一つを含む表示態様を調整することを特徴とする表示装置。
【請求項３】
請求項２に記載の表示装置において、
前記表示条件情報は、前記表示画面上における前記枠の複数に区分された表示領域を特定する表示領域情報を含み、
前記表示制御手段は、前記表示領域情報により特定される夫々の前記表示領域に夫々の前記画像が対応するように当該画像の表示位置、表示サイズ及び表示角度の少なくとも何れか一つを含む表示態様を調整することを特徴とする表示装置。
【請求項４】
請求項２又は３に記載の表示装置において、
前記表示制御手段は、前記表示領域情報により特定される前記表示領域の基準点と前記画像の基準点とが一致するように当該画像の前記表示態様を調整することを特徴とする表示装置。
【請求項５】
請求項４に記載の表示装置において、
前記画像の特徴部を抽出する画像特徴部抽出手段を備え、
前記表示制御手段は、前記表示領域情報により特定される前記表示領域の基準点と前記画像特徴部抽出手段により抽出された前記画像の特徴部の基準点とが一致するように当該画像の前記表示態様を調整することを特徴とする表示装置。
【請求項６】
請求項４に記載の表示装置において、
前記画像の特徴部を抽出する画像特徴部抽出手段を備え、
前記表示制御手段は、前記表示領域情報により特定される前記表示領域のサイズと前記画像特徴部抽出手段により抽出された前記画像の特徴部のサイズとが合うように当該画像の前記表示態様を調整することを特徴とする表示装置。
【請求項７】
請求項１に記載の表示装置において、
前記表示条件情報は、色情報を含み、
前記表示制御手段は、前記色情報に基づいて前記画像の色調を調整することを特徴とする表示装置。
【請求項８】
請求項１に記載の表示装置において、
前記表示装置は、複数の前記画像を所定の切替間隔で切り替えながら表示するものであって、
前記表示条件情報は、前記画像の切替間隔を示す切替間隔情報を含み、
前記表示制御手段は、前記切替間隔情報に基づいて前記画像の表示切替を制御することを特徴とする表示装置。
【請求項９】
請求項１に記載の表示装置において、
前記表示条件情報は、前記画像に対して与える視覚効果としてのエフェクトを示すエフェクト情報を含み、
前記表示制御手段は、前記エフェクト情報に基づいて前記画像に対して与える前記エフェクトを制御することを特徴とする表示装置。
【請求項１０】
請求項９に記載の表示装置において、
前記表示装置は、複数の前記画像を所定の切替間隔で切り替えながら表示するものであって、
前記表示制御手段は、前記画像を切り替える際に、前記エフェクト情報に基づいて前記画像に対して与える前記エフェクトを制御することを特徴とする表示装置。
【請求項１１】
請求項１に記載の表示装置において、
前記表示条件情報は、前記枠に適合する画像の適合条件を示す適合条件情報を含み、
前記表示制御手段は、前記適合条件情報に基づいて、前記枠識別情報取得手段により取得された前記枠識別情報に対応する枠に適合する画像を、前記表示制御の対象となる画像として選択することを特徴とする表示装置。
【請求項１２】
取り付けられた枠の種別に対応して画像の表示制御を行う表示装置に取り付けられる枠であって、
該枠の種別に対応して枠種別を該表示装置に識別させる識別手段を有することを特徴とする表示装置枠。
【請求項１３】
画像を表示画面上に表示する表示装置おける表示制御方法であって、
前記表示装置に対する枠を識別するための枠識別情報と、前記画像の表示条件を規定する表示条件情報とを関連付けて記憶する工程と、  
前記表示装置に対する枠の取り付けを認識して当該枠を識別するための枠識別情報を取得する工程と、
前記取得された前記枠識別情報に関連付けられて記憶されている前記表示条件情報を特定する工程と、
前記表示条件特定手段により特定された前記表示条件情報に基づいて前記画像の表示制御を行う工程と、
を備えることを特徴とする表示制御方法。
【請求項１４】
コンピュータを、請求項１乃至１１の何れか一項に記載の表示装置として機能させることを特徴とする表示プログラム。  
【発明の詳細な説明】
【技術分野】
【０００１】
本発明は、枠を取り付け可能な電子フォトスタンド等の技術分野に関する。
【背景技術】
【０００２】
従来から、装飾目的としての枠を取り付け可能な電子フォトスタンドが知られている。また、特許文献１には、飾り付け器具が取り付け可能な表示装置が開示されており、当該表示装置は、取り付けられた器具に応じてスクリーンセーバ等の表示内容を制御することが可能になっている。
【先行技術文献】
【特許文献】
【０００３】
【特許文献１】特開２０００−３２２１５４号公報
【発明の概要】
【発明が解決しようとする課題】
【０００４】
ところで、上述した枠の表示窓（つまり、電子フォトスタンドの表示画面を視認できる枠の開口部分）の大きさや形状は、同じ電子フォトスタンドに取り付けられる枠であっても、当該枠の種類によって異なることがある。
【０００５】
更に、枠の表示窓の当該枠における位置や数も枠によって異なることもある。従来の技術では、このような様々な種類の枠に対応した画像を表示して多彩な鑑賞の仕方を実現することは困難である。
【０００６】
そこで、本発明は、以上の点等に鑑みてなされたものであり、様々な種類の枠に対応した画像を表示して多彩な鑑賞の仕方を実現することが可能な表示装置、表示装置枠、表示制御方法及び表示プログラムを提供することを課題とする。
【課題を解決するための手段】
【０００７】
上記課題を解決するために、請求項１に記載の発明は、画像を表示画面上に表示する表示装置において、前記表示装置に対する枠を識別するための枠識別情報と、前記画像の表示条件を規定する表示条件情報とを関連付けて記憶する表示条件情報記憶手段と、前記表示装置に対する枠の取り付けを認識して当該枠を識別するための枠識別情報を取得する枠識別情報取得手段と、前記枠識別情報取得手段により取得された前記枠識別情報に関連付けられて記憶されている前記表示条件情報を特定する表示条件特定手段と、前記表示条件特定手段により特定された前記表示条件情報に基づいて前記画像の表示制御を行う表示制御手段と、を備えることを特徴とする。
【０００８】
請求項２に記載の発明は、請求項１に記載の表示装置において、前記表示条件情報は、前記表示画面上における前記枠の表示領域を特定する表示領域情報を含み、前記表示制御手段は、前記表示領域情報により特定される前記表示領域に前記画像が対応するように当該画像の表示位置、表示サイズ及び表示角度の少なくとも何れか一つを含む表示態様を調整することを特徴とする。
【０００９】
請求項３に記載の発明は、請求項２に記載の表示装置において、前記表示条件情報は、前記表示画面上における前記枠の複数に区分された表示領域を特定する表示領域情報を含み、前記表示制御手段は、前記表示領域情報により特定される夫々の前記表示領域に夫々の前記画像が対応するように当該画像の表示位置、表示サイズ及び表示角度の少なくとも何れか一つを含む表示態様を調整することを特徴とする。
【００１０】
請求項４に記載の発明は、請求項２又は３に記載の表示装置において、前記表示制御手段は、前記表示領域情報により特定される前記表示領域の基準点と前記画像の基準点とが一致するように当該画像の前記表示態様を調整することを特徴とする。
【００１１】
請求項５に記載の発明は、請求項４に記載の表示装置において、前記画像の特徴部を抽出する画像特徴部抽出手段を備え、前記表示制御手段は、前記表示領域情報により特定される前記表示領域の基準点と前記画像特徴部抽出手段により抽出された前記画像の特徴部の基準点とが一致するように当該画像の前記表示態様を調整することを特徴とする。
【００１２】
請求項６に記載の発明は、請求項４に記載の表示装置において、前記画像の特徴部を抽出する画像特徴部抽出手段を備え、前記表示制御手段は、前記表示領域情報により特定される前記表示領域のサイズと前記画像特徴部抽出手段により抽出された前記画像の特徴部のサイズとが合うように当該画像の前記表示態様を調整することを特徴とする。
【００１３】
請求項７に記載の発明は、請求項１に記載の表示装置において、前記表示条件情報は、色情報を含み、前記表示制御手段は、前記色情報に基づいて前記画像の色調を調整することを特徴とする。
【００１４】
請求項８に記載の発明は、請求項１に記載の表示装置において、前記表示装置は、複数の前記画像を所定の切替間隔で切り替えながら表示するものであって、前記表示条件情報は、前記画像の切替間隔を示す切替間隔情報を含み、前記表示制御手段は、前記切替間隔情報に基づいて前記画像の表示切替を制御することを特徴とする。
【００１５】
請求項９に記載の発明は、請求項１に記載の表示装置において、前記表示条件情報は、前記画像に対して与える視覚効果としてのエフェクトを示すエフェクト情報を含み、前記表示制御手段は、前記エフェクト情報に基づいて前記画像に対して与える前記エフェクトを制御することを特徴とする。
【００１６】
請求項１０に記載の発明は、請求項９に記載の表示装置において、前記表示装置は、複数の前記画像を所定の切替間隔で切り替えながら表示するものであって、前記表示制御手段は、前記画像を切り替える際に、前記エフェクト情報に基づいて前記画像に対して与える前記エフェクトを制御することを特徴とする。
【００１７】
請求項１１に記載の発明は、請求項１に記載の表示装置において、前記表示条件情報は、前記枠に適合する画像の適合条件を示す適合条件情報を含み、前記表示制御手段は、前記適合条件情報に基づいて、前記枠識別情報取得手段により取得された前記枠識別情報に対応する枠に適合する画像を、前記表示制御の対象となる画像として選択することを特徴とする。
【００１８】
請求項１２に記載の発明は、取り付けられた枠の種別に対応して画像の表示制御を行う表示装置に取り付けられる枠であって、該枠の種別に対応して枠種別を該表示装置に識別させる識別手段を有することを特徴とする。
【００１９】
請求項１３に記載の発明は、画像を表示画面上に表示する表示装置おける表示制御方法であって、前記表示装置に対する枠を識別するための枠識別情報と、前記画像の表示条件を規定する表示条件情報とを関連付けて記憶する工程と、前記表示装置に対する枠の取り付けを認識して当該枠を識別するための枠識別情報を取得する工程と、前記取得された前記枠識別情報に関連付けられて記憶されている前記表示条件情報を特定する工程と、前記表示条件特定手段により特定された前記表示条件情報に基づいて前記画像の表示制御を行う工程と、を備えることを特徴とする。
【００２０】
請求項１４に記載の表示プログラムの発明は、コンピュータを、請求項１乃至１１の何れか一項に記載の表示装置として機能させることを特徴とする。
【発明の効果】
【００２１】
請求項１、１３、１４に記載の発明によれば、表示装置に対する枠の取り付けを認識して当該枠を識別するための枠識別情報を取得し、取得された前記枠識別情報に関連付けられて記憶されている前記表示条件情報を特定し、特定された前記表示条件情報に基づいて前記画像の表示制御を行うので、様々な種類の枠に対応した画像を表示して多彩な鑑賞の仕方を実現することができる。
【００２２】
請求項２に記載の発明によれば、枠の表示窓の大きさ、形状、位置が、当該枠タイプによって異なる場合でも、様々な枠タイプの表示窓に対応した画像を表示して多彩な鑑賞の仕方を実現することができる。
【００２３】
請求項３に記載の発明によれば、一つの枠に複数の表示窓が設けられた場合であっても、様々な枠タイプの複数の表示窓毎に対応した画像を表示して多彩な鑑賞の仕方を実現することができる。
【００２４】
請求項４に記載の発明によれば、画像を枠の表示窓の位置に合わせて、より見易く表示することができる。
【００２５】
請求項５に記載の発明によれば、画像の特徴部を枠の表示窓の位置に合わせて、より見易く表示することができる。
【００２６】
請求項６に記載の発明によれば、画像の特徴部を枠の表示窓の大きさや形状に合わせて、より見易く表示することができる。
【００２７】
請求項７に記載の発明によれば、画像に対して、様々な枠タイプに応じた効果的な演出を施して表示することができる。
【００２８】
請求項８〜１０に記載の発明によれば、様々な枠タイプに応じた効果的な演出を施して表示することができる。
【００２９】
請求項１１に記載の発明によれば、様々な枠タイプに対応した画像を選択して表示することができる。
【００３０】
請求項１２に記載によれば、画像の多彩な鑑賞の仕方を実現可能な様々な種類の枠を提供することができる。
【図面の簡単な説明】
【００３１】
【図１】電子フォトスタンド本体に取り付け可能な複数種類の枠の表側外観例を示す図である。
【図２】枠が電子フォトスタンド本体に取り付けられる様子を示す図である。
【図３】本実施形態に係る電子フォトスタンドの概要構成例を示す図である。
【図４】表示条件規定テーブルに登録された情報の一例を示す図である。
【図５】電子フォトスタンドＳの制御部１５における表示制御処理を示すフローチャートである。
【図６】枠Ｂの表示領域に画像が対応するように当該画像の表示位置、及び表示サイズが調整される様子を示す図である。
【図７】枠Ｂの表示領域に画像が対応するように当該画像の表示サイズが調整される様子を示す図である。
【図８】枠Ｃの表示領域に画像が対応するように当該画像の表示位置、及び表示サイズが調整される様子を示す図である。
【図９】画像中に人の顔が含まれている画像を選択する様子を示す概念図である。
【図１０】スライドショーにおいてエフェクトが実行される様子を示す図である。
【発明を実施するための形態】
【００３２】
以下、本発明の実施形態を図面に基づいて説明する。なお、以下に説明する実施の形態は、枠を取り付け可能な電子フォトスタンドに対して本発明を適用した場合の実施形態である。
【００３３】
始めに、図１を参照して、本実施形態に係る電子フォトスタンド（表示装置の一例）本体（筐体）に取り付け可能な枠（表示装置枠）について説明する。
【００３４】
図１は、電子フォトスタンド本体に取り付け可能な複数種類の枠の表側外観例を示す図である。図１に示す例では、４種類の枠Ａ〜Ｄが示されており、枠Ａには長方形の表示窓が１つ、枠Ｂには楕円形の表示窓が１つ、枠Ｃには長方形の表示窓が２つ、枠Ｄには長方形の表示窓が２つ及び楕円形の表示窓が１つ設けられている。これらの表示窓は、電子フォトスタンドの表示画面を視認できる枠の開口部分であり、この開口部分から視認可能な表示画面上における領域を枠の表示領域という。なお、図１の例では、横長の電子フォトスタンドを示しているが、縦長の電子フォトスタンドもある。
【００３５】
また、各枠の裏側には、枠の種別に対応して枠タイプ（この例では、Ａ〜Ｄの種類）を電子フォトスタンドに識別させるための枠タイプ提示スイッチ（識別手段の一例）ＴＳＷが設けられている。なお、図１に示す例において、破線二重丸５１は、枠タイプ提示スイッチＴＳＷがオンであることを示し、破線丸５２は、枠タイプ提示スイッチＴＳＷがオフをあることを示している。枠タイプ提示スイッチＴＳＷのオンとオフの違いは、例えば、突起しているか否か、或いは導電体であるか否かにある。
【００３６】
また、図１に示す例では、１つの枠に５つの枠タイプ提示スイッチＴＳＷが設けられている。各枠タイプ提示スイッチＴＳＷは１ビットに相当するので、枠タイプ提示スイッチＴＳＷのオンオフの組合せにより最大３２通りの枠タイプに対応する枠識別情報（枠を識別するための情報）を表すことができる。例えば、枠Ａは全ての枠タイプ提示スイッチＴＳＷがオフであるので枠識別情報は“０”となり、枠Ｂは右端の枠タイプ提示スイッチＴＳＷのみがオンであるので枠識別情報は“１”となり、枠Ｃは右端から２番目の枠タイプ提示スイッチＴＳＷのみがオンであるので枠識別情報は“２”となり、枠Ｄは右端及び当該右端から２番目の枠タイプ提示スイッチＴＳＷが有るので枠識別情報は“３”となる。
【００３７】
図２は、枠が電子フォトスタンド本体に取り付けられる様子を示す図である。図２（ｂ）に示すように、電子フォトスタンド本体には、一例として、５つの枠タイプ識別スイッチＩＳＷが設けられており、各枠タイプ識別スイッチＩＳＷは、夫々に対向する枠タイプ提示スイッチＴＳＷのオン／オフに連動するようになっている。例えば、枠タイプ識別スイッチＩＳＷは、枠タイプ提示スイッチＴＳＷがオンであるとき突起部により押下されてオンになる一方、枠タイプ提示スイッチＴＳＷがオフであるとき押下されずオフになる。或いは、枠タイプ識別スイッチＩＳＷは、枠タイプ提示スイッチＴＳＷがオンであるとき接点間が導通されてオンになる一方、枠タイプ提示スイッチＴＳＷがオフであるとき接点間が導通されずオフになる。そして、各枠タイプ識別スイッチＩＳＷは、オン／オフに応じたオン／オフ信号を、後述する制御部１５に出力する。
【００３８】
なお、電子フォトスタンド本体には、図示しないが枠タイプ識別スイッチＩＳＷの他にも、枠が取り付けられたことを示すオン信号を制御部１５に出力する枠取り付け認識スイッチが設けられている。
【００３９】
そして、電子フォトスタンドは、枠タイプ識別スイッチＩＳＷのオンオフ状態、つまり、上述した枠識別情報に基づいて枠（枠タイプ）を識別し、識別した枠に応じた画像を表示画面Ｄに表示することになる。例えば、図２に示す例では、電子フォトスタンドは、図２（ｂ）に示す表示画面Ｄにおける画像の表示位置及び表示サイズを、図２（ｃ）に示すように、楕円形の表示領域に対応するように調整して表示画面Ｄに表示している。
【００４０】
次に、図３等を参照して、本実施形態に係る電子フォトスタンドの構成及び機能について説明する。
【００４１】
図３は、本実施形態に係る電子フォトスタンドの概要構成例を示す図である。図３に示すように、電子フォトスタンドＳは、枠タイプ識別スイッチＩＳＷ、ディスプレイ１１、操作部１２、記憶部１３、及び制御部１５等を備えて構成されている。
【００４２】
ディスプレイ１１は、例えば、ＬＣＤ（Liquid Crystal Display）、有機ＥＬ（Electro-Luminescence）ディスプレイであり、表示画面Ｄを有する。
【００４３】
操作部１２には、ユーザが制御部１５に各種指示を与えるための操作ボタンが設けられている。なお、ディスプレイ１１は、タッチパネル式のディスプレイとし、操作部１２における操作ボタンはディスプレイ１１上に表示されるものであってもよい。
【００４４】
記憶部１３は、例えば不揮発性半導体メモリ（例えば、フラッシュＲＯＭ）やハードディスクドライブ等からなり、各種プログラム及びデータを記憶している。プログラムには、本発明の表示プログラム、静止画表示を規定する静止画表示プログラム、及び複数の画像を所定の切替間隔で切り替えながら表示するスライドショーを規定するスライドショー表示プログラム等が含まれる。さらに、プログラムには、画像に対して視覚効果を与えるためのエフェクトを規定するエフェクトプログラムが含まれる。なお、エフェクトとしては、例えば、ワイプ、ズーム、チェッカーワイプ、ブラインド、スライドイン、ディゾルブ、ボックス、ズームイン、ズームアウト、３Ｄエフェクト等が挙げられる。なお、これらのエフェクトの内容については、公知であるので詳しい説明を省略する。
【００４５】
また、記憶部１３には、表示画面Ｄに表示される画像（例えば、写真画像）に係る画像データが複数記憶（例えば、ＴＩＦＦ、ＧＩＦ、又はＪＰＥＧ等の形式の画像ファイルで記憶）されている。
【００４６】
更に、記憶部１３（表示条件情報記憶手段の一例）には、電子フォトスタンドＳに対する枠を識別するための枠識別情報と、画像の表示条件を規定する表示条件情報とを関連付けて登録する表示条件規定テーブルが記憶されている。
【００４７】
図４は、表示条件規定テーブルに登録された情報の一例を示す図である。図４に示す例では、枠タイプ毎に枠識別情報と表示条件情報とが関連付けられており、表示条件情報の内容は枠タイプ毎に異なっている。なお、表示条件情報は、制御部１５による画像の表示制御に用いられる。また、表示条件情報は、ユーザが操作部１２における操作ボタンを通じて任意に設定可能になっている。
【００４８】
ここで、表示条件規定テーブルに登録された情報について説明する。
【００４９】
図４に示す例において、「適合条件」は、枠に適合する画像の条件を示しており、当該適合条件を満たす画像が表示制御の対象として選択される。この適合条件としては、例えば、横長、縦長、日付、人物、風景、ゴルフクラブなどの特定の物等（適合条件情報の一例）が挙げられる。なお、適合条件が無の場合、選択対象となる画像は限定されない。
【００５０】
適合条件が横長と規定される場合、横長の画像が選択対象となる。例えば、枠Ａの表示窓は図１に示すように横長であるので、枠Ａに対応する適合条件は横長になっている。なお、縦長の電子フォトスタンドの場合、適合条件は縦長と規定される。
【００５１】
また、適合条件としての日付は、例えば、期間（例えば、２０００年１月〜２００５年１２月）、日（例えば、２０００年１月１日）、又は季節（例えば、夏）で規定される。例えば、期間が規定される場合、当該期間に撮影された写真画像が選択対象となる。また、季節が規定される場合、当該季節（例えば、夏の期間に相当する例えば６月〜８月）に撮影された写真画像が選択対象となる。なお、写真の撮影日は、通常、画像の画像ファイルに含まれる属性情報から取得できる。
【００５２】
また、適合条件が人物と規定される場合、画像中に例えば人の顔が含まれている写真画像が選択対象となる。また、適合条件が風景と規定される場合、画像中に例えば人の顔が含まれていない写真画像が選択対象となる。また、適合条件がゴルフクラブと規定される場合、画像中に例えばゴルフクラブが含まれている写真画像が選択対象となる。
【００５３】
また、図４に示す例において、「画像選択数」は表示制御の対象として選択すべき画像の数を示しており、例えば、枠Ｃの表示窓は図１に示すように２つあるので、画像選択数は「２」と規定されている。
【００５４】
また、図４に示す例において、「表示位置調整」は、表示画面Ｄ上における枠の表示領域に対応するように画像の表示位置を調整（位置合わせ）するか否かを示している。表示位置調整が有と規定される場合、同時に、表示画面Ｄ上における枠の表示領域（表示位置）を特定する座標情報（表示領域情報の一例）も規定される。この座標情報は、例えば、当該枠の表示領域の基準点（例えば、中心点や任意の点）の座標（x，y）で表される。また、図４に示す例において、特徴部と規定されている場合、画像の特徴部の表示位置調整が行われる。
【００５５】
なお、表示窓が複数設けられている枠の場合、当該枠の複数に区分された夫々の表示領域（表示位置）を特定する座標情報が規定されることになる。
【００５６】
また、図４に示す例において、「表示サイズ調整」は、表示画面Ｄ上における枠の表示領域に対応するように画像の表示サイズを調整（拡大又は縮小によるサイズ合わせ）するか否かを示している。表示サイズ調整が有と規定される場合、同時に、表示画面Ｄ上における枠の表示領域を特定する座標情報（表示領域情報の一例）も規定される。
【００５７】
例えば、表示窓の形状が四角形（長方形）の場合、当該座標情報は、当該四角形の対角線上に位置する２つの頂点の座標（x1，y1）,（x2，y2）で表される。また、表示窓の形状が円形、楕円形、三角形、多角形又はハート形等の場合、当該座標情報は、これらの形状の外接四角形の対角線上に位置する２つの頂点の座標（x1，y1）,（x2，y2）で表される。なお、表示窓の形状が円形の場合、当該座標情報は、円の中心座標及び半径で表されてもよい。また、表示窓の形状が楕円形の場合、当該座標情報は、楕円の中心座標及び長径及び短径で表されてもよい。また、表示窓の形状が三角形の場合、当該座標情報は、三角形の３つの頂点座標（x1，y1）,（x2，y2）,（x3，y3）で表されてもよい。また、表示窓の形状が多角形又はハート形等の場合、当該形状の輪郭を構成する複数の座標（x1,y1）,（x2,y2）,,,,（xn,yn）で表されてもよい。また、図４に示す例において、特徴部と規定されている場合、画像の特徴部の表示サイズ調整が行われる。
【００５８】
なお、表示窓が複数設けられている枠の場合、当該枠の複数に区分された夫々の表示領域を特定する座標情報が規定されることになる。
【００５９】
また、図４に示す例において、「表示角度調整」は、表示画面Ｄ上における枠の表示領域に対応するように画像の表示角度を調整するか否かを示している。表示角度調整が有と規定される場合、同時に、画像の回転角度を示す角度情報が規定される。例えば、表示窓の形状が長方形で水平軸を中心に所定角度（例えば４５度）に傾いている場合、当該角度情報は、上記所定角度で表される。
【００６０】
なお、所定角度に傾いている表示窓が複数設けられている枠の場合、当該枠の複数に区分された夫々の表示領域に対応する角度情報が規定されることになる。
【００６１】
また、図４に示す例において、「色調調整」は、画像の色調を調整するか否かを示している。色調調整が有と規定される場合、同時に、色情報も規定される。この色情報には、例えば、画像を白黒調又はセピア調に調整する指示を示す情報、或いは緑、青、赤等の特定色の発色を強調する指示を示す情報が含まれる。
【００６２】
また、図４に示す例において、「実行プログラム」は、表示画面Ｄ上に画像を表示するために実行すべきプログラムを示しており、「スライドショー表示」は、スライドショー表示プログラムを指定する情報である。実行プログラムがスライドショー表示と規定される場合、同時に、画像の切替間隔を示す切替間隔情報が規定される。なお、「実行プログラム」として何も規定されていない枠タイプについては、デフォルト設定された静止画表示プログラムが指定される。
【００６３】
また、図４に示す例において、「エフェクト」は、画像に対して視覚効果を与えるためのエフェクトを実行するか否かを示している。エフェクトが有と規定される場合、同時に、エフェクト情報も指定される。
【００６４】
このエフェクト情報には、エフェクトプログラムを指定する情報（例えば、エフェクト名、エフェクト毎に一意の識別情報）が含まれる。
【００６５】
なお、図４に示す表示条件規定テーブルにおける表示条件情報の規定の仕方は一例であり、その他の様々な規定の仕方をとってもよい。
【００６６】
制御部１５は、例えばマイクロコンピュータ等からなり、当該コンピュータが記憶部１３から所定のプログラム（本発明の表示プログラムを含む）を読み出して実行することにより、枠識別情報取得部１５１（本発明における枠識別情報取得手段の一例）、表示条件特定部１５２（表示条件特定手段の一例）、画像特徴部抽出部１５３（画像特徴部抽出手段の一例）、及び表示制御部１５４（表示制御手段の一例）として機能する。
【００６７】
具体的には、枠識別情報取得部１５１は、電子フォトスタンドＳ（本体）に対する枠の取り付けを、枠取り付け認識スイッチからのオン信号により認識し、当該枠を識別するための枠識別情報を、各枠タイプ識別スイッチＩＳＷからのオン／オフ信号により取得する。
【００６８】
表示条件特定部１５２は、上記表示条件規定テーブルを参照して、枠識別情報取得部１５１により取得された枠識別情報に関連付けられて記憶されている表示条件情報を特定する。
【００６９】
画像特徴部抽出部１５３は、例えば表示制御部１５４から指定された画像データに係る画像の特徴部を抽出する。例えば、画像特徴部抽出部１５３は、公知のオブジェクト認識アルゴリズムやエッジ抽出アルゴリズムにより、例えば人物の顔や風景、特定の物の画像を特徴部として抽出する。
【００７０】
表示制御部１５４は、表示条件特定部１５２により特定された表示条件情報に基づいて画像の表示制御を行う。例えば、表示制御部１５４は、表示条件情報に規定される適合条件情報に基づいて、枠識別情報に対応する枠に適合する画像を表示制御の対象となる画像として記憶部１３から選択する。そして、表示制御部１５４は、当該表示条件情報に規定される座標情報等により特定される枠の表示領域に、当該選択した画像が対応するように当該画像の表示位置、表示サイズ及び表示角度の少なくとも何れか一つを含む表示態様を調整する。また、当該表示条件情報に規定される枠識別情報に対応する枠に複数の表示窓が設けられている場合、表示制御部１５４は、当該枠の夫々の表示領域に対応する画像を複数選択し、当該夫々の表示領域に、夫々の画像が対応するように当該画像の表示位置、表示サイズ及び表示角度の少なくとも何れか一つを含む表示態様を調整する。
【００７１】
次に、図５等を参照して、本実施形態に係る電子フォトスタンドの動作について説明する。
【００７２】
図５は、電子フォトスタンドＳの制御部１５における表示制御処理を示すフローチャートである。
【００７３】
図５に示す処理は、電子フォトスタンド本体への枠の取り付けが認識された場合に開始される。当該処理が開始されると、制御部１５は、各枠タイプ識別スイッチＩＳＷからのオン／オフ信号により当該枠を識別するための枠識別情報を取得する（ステップＳ１）。
【００７４】
次いで、制御部１５は、上記表示条件規定テーブルを参照して、上記取得した枠識別情報に対応する枠タイプが枠Ａであるか否かを判別し（ステップＳ２）、当該枠タイプが枠Ａである場合には（ステップＳ２：ＹＥＳ）、ステップＳ３に進み、当該枠タイプが枠Ａでない場合には（ステップＳ３：ＮＯ）、ステップＳ６に進む。
【００７５】
ステップＳ３では、制御部１５は、上記表示条件規定テーブルを参照して、枠Ａの枠識別情報に関連付けられている表示条件情報を特定し、当該特定した表示条件情報を表示条件規定テーブルから取得する。
【００７６】
次いで、制御部１５は、上記取得した表示条件情報に規定されている適合条件（図４の例では、横長及び日付）を満たす画像を、当該表示条件情報に規定されている画像選択数（図４の例では、１）だけ選択し（ステップＳ４）、当該画像に係る画像データを記憶部１３から取得する。例えば、日付が期間で規定されている場合、当該期間内に撮影された画像（写真画像）が選択される。なお、適合条件を満たす画像が複数ある場合、これらの中から画像選択数だけ例えばランダムに選択される。
【００７７】
次いで、制御部１５は、上記選択した画像を静止画表示プログラムにしたがって、ディスプレイ１１の表示画面Ｄに表示させる（ステップＳ５）。
【００７８】
一方、ステップＳ６では、制御部１５は、上記表示条件規定テーブルを参照して、上記取得した枠識別情報に対応する枠タイプが枠Ｂであるか否かを判別し、当該枠タイプが枠Ｂである場合には（ステップＳ６：ＹＥＳ）、ステップＳ７に進み、当該枠タイプが枠Ｂでない場合には（ステップＳ６：ＮＯ）、ステップＳ１０に進む。
【００７９】
ステップＳ７では、制御部１５は、上記表示条件規定テーブルを参照して、枠Ｂの枠識別情報に関連付けられている表示条件情報を特定し、当該特定した表示条件情報を表示条件規定テーブルから取得する。
【００８０】
次いで、制御部１５は、上記取得した表示条件情報に規定されている適合条件を満たす画像を、当該表示条件情報に規定されている画像選択数だけ選択し（ステップＳ８）、当該画像に係る画像データを記憶部１３から取得する。ここで、図４の例では、枠Ｂの適合条件として横長及び人物が規定されているので、制御部１５は、横長の画像を特定し、当該特定した画像から人の顔（特徴部）を抽出する処理を画像特徴部抽出部１５３により行う。そして、制御部１５は、画像中に人の顔が含まれている画像を選択し、当該画像に係る画像データを記憶部１３から取得する。ここで、制御部１５は、画像中に人の顔が含まれている画像が複数ある場合、これらの中から上記画像選択数（図４の例では、１）だけ例えばランダムに選択する。
【００８１】
次いで、制御部１５は、上記取得した表示条件情報に規定されている表示位置調整及び表示サイズ調整に係る座標情報に基づいて、当該座標情報により特定される枠Ｂの表示領域に、上記選択された画像が対応するように当該画像の表示位置、及び表示サイズを調整する（ステップＳ９）。
【００８２】
図６は、枠Ｂの表示領域に画像が対応するように当該画像の表示位置、及び表示サイズが調整される様子を示す図である。図６の例では、制御部１５は、先ず、画像中から抽出した２つの顔の各中心点ｐ１，ｐ２（画像の特徴部の基準点の一例）間の距離ｄを算出する（図６（Ａ）参照）。次に、制御部１５は、上記座標情報により特定される枠Ｂの表示領域上の２点ｐ３，ｐ４（表示領域の基準点の一例）間の距離Ｄを算出する（図６（Ａ）参照）。次に、制御部１５は、画像をＤ／ｄに拡大又は縮小する（図６（Ｂ）参照）。つまり、枠Ｂの表示領域のサイズと画像の特徴部のサイズとが合うように当該画像の表示サイズが調整される。図６の例では、ｄ＜Ｄであるので画像は拡大されるが、ｄ＞Ｄであれば、画像は縮小されることになる。そして、制御部１５は、表示サイズが調整された画像における各顔の中心点ｐ１，ｐ２と、上記座標情報により特定される枠Ｂの表示領域の２点ｐ３，ｐ４とが一致するように画像の表示位置を調整（位置合わせ）する（図６（Ｃ）参照）。
【００８３】
次いで、制御部１５は、表示位置及び表示サイズが調整された画像を静止画表示プログラムにしたがって、ディスプレイ１１の表示画面Ｄに表示させる（ステップＳ５）。
【００８４】
図７は、枠Ｂの表示領域に画像が対応するように当該画像の表示サイズが調整される様子を示す図であり、表示条件情報には画像の表示位置調整は無と規定される例である。図７の例では、制御部１５は、画像のサイズを、（x0，y0）,（xA，yB）のサイズから、枠Ｂの楕円形の表示領域の外接長方形のサイズ（x1，y1）,（x2，y2）に拡大又は縮小することで枠Ｂの表示領域のサイズと画像のサイズとが合うように当該画像の表示サイズを調整する。なお、当該外接長方形の２つの頂点の座標（x1，y1）,（x2，y2）は、枠Ｂに対応する座標情報に含まれる。また、図７の例では、画像のサイズより、枠Ｂの表示領域の外接長方形のサイズの方が小さいため、当該画像は縮小されている。
【００８５】
一方、ステップＳ１０では、制御部１５は、上記表示条件規定テーブルを参照して、上記取得した枠識別情報に対応する枠タイプが枠Ｃであるか否かを判別し、当該枠タイプが枠Ｃである場合には（ステップＳ１０：ＹＥＳ）、ステップＳ１１に進み、当該枠タイプが枠Ｃでない場合には（ステップＳ１０：ＮＯ）、ステップＳ１５に進む。
【００８６】
ステップＳ１１では、制御部１５は、上記表示条件規定テーブルを参照して、枠Ｃの枠識別情報に関連付けられている表示条件情報を特定し、当該特定した表示条件情報を表示条件規定テーブルから取得する。
【００８７】
次いで、制御部１５は、上記取得した表示条件情報に規定されている適合条件を満たす画像を、当該表示条件情報に規定されている画像選択数だけ選択し（ステップＳ１２）、当該画像に係る画像データを記憶部１３から取得する。ここで、図４の例では、枠Ｃの画像選択数が２であるので、２つの画像が選択される。つまり、図１に示すように、枠Ｃの表示窓１用の画像と、表示窓２用の画像とが夫々選択される。
【００８８】
次いで、制御部１５は、上記取得した表示条件情報に規定されている表示位置調整及び表示サイズ調整に係る表示窓１に対応する座標情報に基づいて、当該座標情報により特定される枠Ｃの表示窓１の表示領域に、上記選択された表示窓１用の画像が対応するように当該画像の表示位置、及び表示サイズを調整する（ステップＳ１３）。さらに、制御部１５は、上記取得した表示条件情報に規定されている表示位置調整及び表示サイズ調整に係る表示窓２に対応する座標情報に基づいて、当該座標情報により特定される枠Ｃの表示窓２の表示領域に、上記選択された表示窓２用の画像が対応するように当該画像の表示位置、及び表示サイズを調整する（ステップＳ１４）。
【００８９】
図８は、枠Ｃの表示領域に画像が対応するように当該画像の表示位置、及び表示サイズが調整される様子を示す図である。図８の例では、制御部１５は、表示窓１用の画像αの中心点と、座標情報により特定される枠Ｃの表示窓１の表示領域の中心点とが一致するように画像αの表示位置を調整し、且つ、画像αのサイズと枠Ｃの表示窓１の表示領域のサイズとが合うように当該画像αの表示サイズを調整する。さらに、制御部１５は、表示窓２用の画像βの中心点と、座標情報により特定される枠Ｃの表示窓２の表示領域の中心点とが一致するように画像βの表示位置を調整し、且つ、画像βのサイズと枠Ｃの表示窓２の表示領域のサイズとが合うように当該画像βの表示サイズを調整する。
【００９０】
次いで、制御部１５は、表示位置及び表示サイズが調整された画像α及び画像βを静止画表示プログラムにしたがって、ディスプレイ１１の表示画面Ｄに表示させる（ステップＳ５）。
【００９１】
なお、図５に示す処理では、枠タイプが枠Ｄである場合の処理を省略しているが、この場合は、枠Ｄの画像選択数が３であるので、枠Ｃの表示窓１用の画像と、表示窓２用の画像と、表示窓３用の画像とが夫々選択され、上記処理と同様、表示位置調整及び表示サイズ調整が行われて表示されることになる。
【００９２】
一方、ステップＳ１５では、制御部１５は、上記表示条件規定テーブルを参照して、上記取得した枠識別情報に対応する枠タイプが枠Ｅであるか否かを判別し、当該枠タイプが枠Ｅである場合には（ステップＳ１５：ＹＥＳ）、ステップＳ１６に進み、当該枠タイプが枠Ｅでない場合には（ステップＳ１５：ＮＯ）、ステップＳ１８に進む。
【００９３】
ステップＳ１６では、制御部１５は、上記表示条件規定テーブルを参照して、枠Ｅの枠識別情報に関連付けられている表示条件情報を特定し、当該特定した表示条件情報を表示条件規定テーブルから取得する。
【００９４】
次いで、制御部１５は、上記取得した表示条件情報に規定されている適合条件を満たす画像を、当該表示条件情報に規定されている画像選択数だけ選択し（ステップＳ１７）、当該画像に係る画像データを記憶部１３から取得する。ここで、図４の例では、枠Ｅの適合条件として人物が規定されているので、制御部１５は、人の顔を抽出する処理を画像特徴部抽出部１５３により行い、画像中に人の顔が含まれている画像を選択し、当該画像に係る画像データを記憶部１３から取得する。図９は、画像中に人の顔が含まれている画像を選択する様子を示す概念図である。ここで、制御部１５は、画像中に人の顔が含まれている画像が複数ある場合、これらの中から上記画像選択数（図４の例では、１）だけ例えばランダムに選択する。
【００９５】
次いで、制御部１５は、上記選択した画像を静止画表示プログラムにしたがって、ディスプレイ１１の表示画面Ｄに表示させる（ステップＳ５）。
【００９６】
一方、ステップＳ１８では、制御部１５は、上記表示条件規定テーブルを参照して、上記取得した枠識別情報に対応する枠タイプが枠Ｆであるか否かを判別し、当該枠タイプが枠Ｆである場合には（ステップＳ１８：ＹＥＳ）、ステップＳ１９に進み、当該枠タイプが枠Ｆでない場合には（ステップＳ１８：ＮＯ）、ステップＳ２２に進む。
【００９７】
ステップＳ１９では、制御部１５は、上記表示条件規定テーブルを参照して、枠Ｆの枠識別情報に関連付けられている表示条件情報を特定し、当該特定した表示条件情報を表示条件規定テーブルから取得する。
【００９８】
次いで、制御部１５は、上記取得した表示条件情報に規定されている適合条件を満たす画像を、当該表示条件情報に規定されている画像選択数だけ選択し（ステップＳ２０）、当該画像に係る画像データを記憶部１３から取得する。ここで、図４の例では、枠Ｆの適合条件として風景が規定されているので、制御部１５は、人の顔を抽出する処理を画像特徴部抽出部１５３により行い、画像中に人の顔が含まれていない画像を風景画像として選択し、当該画像に係る画像データを記憶部１３から取得する。なお、日付が季節（例えば、夏の期間に相当する例えば６月〜８月）で規定されている場合には、例えば夏に撮影された風景画像を選択することができる。
【００９９】
次いで、制御部１５は、上記取得した表示条件情報に規定されている色情報、例えば、緑、青、赤等の特定色の発色を強調する指示を示す情報に基づいて、上記選択した画像の色調を調整（補正）する（ステップＳ２１）。
【０１００】
次いで、制御部１５は、色調が調整された画像を静止画表示プログラムにしたがって、ディスプレイ１１の表示画面Ｄに表示させる（ステップＳ５）。
【０１０１】
なお、図５に示す処理では、枠タイプが枠Ｇである場合の処理を省略しているが、この場合は、枠Ｇの適合条件として人物が規定されているので、画像中に人の顔が含まれている画像が選択され、表示条件情報に規定されている色情報に基づいて、当該画像が例えば白黒調又はセピア調に調整されて表示されることになる。
【０１０２】
一方、ステップＳ２２では、制御部１５は、上記表示条件規定テーブルを参照して、上記取得した枠識別情報に対応する枠タイプが枠Ｈであるか否かを判別し、当該枠タイプが枠Ｈである場合には（ステップＳ２２：ＹＥＳ）、ステップＳ２３に進む。
【０１０３】
ステップＳ２３では、制御部１５は、上記表示条件規定テーブルを参照して、枠Ｈの枠識別情報に関連付けられている表示条件情報を特定し、当該特定した表示条件情報を表示条件規定テーブルから取得する。
【０１０４】
次いで、制御部１５は、上記取得した表示条件情報に規定されている適合条件を満たす画像を、当該表示条件情報に規定されている画像選択数だけ選択し（ステップＳ２４）、当該画像に係る画像データを記憶部１３から取得する。ここで、図４の例では、枠Ｈの画像選択数が１０であるので、１０つの画像が選択される。
【０１０５】
次いで、制御部１５は、上記取得した表示条件情報よりスライドショー表示プログラム、切替間隔情報及びエフェクト情報を特定する（ステップＳ２５）。
【０１０６】
そして、制御部１５は、上記特定したスライドショー表示プログラムにしたがって、スライドショーを開始し（ステップＳ２６）、これにしたがって、上記特定した切替間隔情報に示される切替間隔で、上記選択した複数の画像を切り替えながら、ディスプレイ１１の表示画面Ｄに表示させる（ステップＳ５）。また、画像を切り替える際に、制御部１５は、上記エフェクト情報で指定されるエフェクトプログラムにしたがって、画像に対してエフェクトを実行する。
【０１０７】
図１０は、スライドショーにおいてエフェクトが実行される様子を示す図である。なお、切替間隔情報に示される画像の切替間隔やエフェクトは、枠タイプによって異ならせることができる。例えば、旅行の写真画像については早い調子のポップなスライドショーしたり、風景画像については切替時にゆっくりスライドインしたりする。
【０１０８】
なお、図５に示す処理では、枠タイプが枠Ｉである場合の処理を省略しているが、この場合は、枠Ｉの適合条件としてゴルフクラブが規定されているので、ゴルフクラブを抽出する処理が画像特徴部抽出部１５３により行われ、当該ゴルフクラブが含まれている画像が選択される。そして、枠タイプが枠Ｉでは、表示角度調整が有と規定されているので、角度情報に示される回転角度だけ画像の回転調整が行われて表示されることになる。
【０１０９】
以上説明したように、上記実施形態によれば、電子フォトスタンドＳは、枠の取り付けを認識して当該枠を識別するための枠識別情報を表示条件規定テーブルから取得し、当該
枠識別情報に関連付けられている表示条件情報を特定し、当該表示条件情報に基づいて、表示対象として選択した画像の表示制御を行うので、様々な種類の枠に対応した画像を表示して多彩な鑑賞の仕方を実現することができる。また、電子フォトスタンドＳの枠デザインを選ぶことにより設置場所に合わせられ、その表示内容も指定の演出が可能となる。
【０１１０】
また、上記実施形態に係る電子フォトスタンドＳは、取り付けられた枠タイプの表示条件情報で規定された座標情報により特定される枠の表示窓の表示領域に、表示対象として選択した画像が対応するように当該画像の表示位置、表示サイズ及び表示角度の少なくとも何れか一つを含む表示態様を調整するので、枠の表示窓の大きさ、形状、位置が、当該枠タイプによって異なることがあっても、様々な枠タイプの表示窓に対応した画像を表示して多彩な鑑賞の仕方を実現することができる。
【０１１１】
さらに、上記実施形態に係る電子フォトスタンドＳは、取り付けられた枠タイプの表示条件情報で規定された座標情報により特定される夫々の表示窓の表示領域に、表示対象として選択した夫々の画像が対応するように当該画像の表示位置、表示サイズ及び表示角度の少なくとも何れか一つを含む表示態様を調整するので、一つの枠に複数の表示窓が設けられた場合であっても、様々な枠タイプの複数の表示窓毎に対応した画像を表示して多彩な鑑賞の仕方を実現することができる。
【０１１２】
また、上記実施形態に係る電子フォトスタンドＳは、表示対象として選択した画像の特徴部（例えば、人の顔画像）を抽出し、取り付けられた枠タイプの表示条件情報で規定された座標情報により特定される表示領域の基準点と、抽出された画像の特徴部の基準点とが一致するように当該画像の表示態様を調整するので、当該画像の特徴部を枠の表示窓の位置に合わせて、より見易く表示することができる。
【０１１３】
また、上記実施形態に係る電子フォトスタンドＳは、表示対象として選択した画像の特徴部を抽出し、取り付けられた枠タイプの表示条件情報で規定された座標情報により特定される表示領域のサイズと、抽出された画像の特徴部のサイズとが合うように当該画像の表示態様を調整するので、当該画像の特徴部を枠の表示窓の大きさや形状に合わせて、より見易く表示することができる。
【０１１４】
また、上記実施形態に係る電子フォトスタンドＳは、取り付けられた枠タイプの表示条件情報で規定された色情報に基づいて、表示対象として選択した画像の色調を調整するので、当該画像に対して、様々な枠タイプに応じた効果的な演出を施して表示することができる。
【０１１５】
また、上記実施形態に係る電子フォトスタンドＳは、取り付けられた枠タイプの表示条件情報で指定されたスライドショーを実行し、表示条件情報で規定された切替間隔で画像の表示切替を制御するので、様々な枠タイプに応じた効果的な演出を施して表示することができる。
【０１１６】
また、上記実施形態に係る電子フォトスタンドＳは、取り付けられた枠タイプの表示条件情報で指定されたエフェクトを、表示対象となる画像に対して実行するので、様々な枠タイプに応じた効果的な演出を施して表示することができる。
【０１１７】
また、上記実施形態に係る電子フォトスタンドＳは、取り付けられた枠タイプの表示条件情報で規定された適合条件に基づいて、上記枠識別情報に対応する枠に適合する画像を、表示制御の対象となる画像として選択するので、様々な枠タイプに対応した画像を選択して表示することができる。
【符号の説明】
【０１１８】
１１  ディスプレイ
１２  操作部
１３  記憶部
１５  制御部
１５１  枠識別情報取得部
１５２  表示条件特定部
１５３  画像特徴部抽出部
１５４  表示制御部
ＴＳＷ  枠タイプ提示スイッチ
ＩＳＷ  枠タイプ識別スイッチ
Ｓ  電子フォトスタンド
【図１】
2010243654.tif 000003
【図２】
2010243654.tif 000004
【図３】
2010243654.tif 000005
【図４】
2010243654.tif 000006
【図５】
2010243654.tif 000007
【図６】
2010243654.tif 000008
【図７】
2010243654.tif 000009
【図８】
2010243654.tif 000010
【図９】
2010243654.tif 000011
【図１０】
2010243654.tif 000012